(57)【特許請求の範囲】
【請求項１】
水が流入する流入路、第一吐水口、及び第二吐水口が形成された装置本体と、
前記装置本体の内部に設けられ、前記流入路と、前記第一吐水口及び前記第二吐水口との連通を制御する弁体と、
回転されることによって、前記流入路及び前記第一吐水口を連通させる第一連通形態と、前記流入路が何れの吐水口とも連通しない閉鎖形態と、前記流入路及び前記第二吐水口を連通させる第二連通形態と、に前記弁体の制御を順に切り替える操作部と、
前記操作部が前記第一連通形態から前記閉鎖形態に前記弁体の制御を切り替えた際、前記操作部の回転を一時的にロックし、前記回転に係る前記操作部に掛けられる力が除去されることで前記ロックを解除するロック機構と、
を備える水栓装置。
【請求項２】
前記ロック機構は、
互いに対面する前記装置本体の面及び前記操作部の面のうち何れか一方に設けられた第一凹部と、
前記装置本体の面及び前記操作部の面のうち他方に設けられ、前記第一凹部と対面するとき前記第一凹部よりも上方に位置する第二凹部と、
前記第二凹部に挿入可能な大きさとされ前記第二凹部の深さよりも長いブロック部材であって、前記第一凹部にバネ体を介して挿入されており、前記第二凹部以外の前記他方と対面するときは、前記他方と当接して前記バネ体を圧縮し、且つ、前記操作部が前記第一連通形態から前記閉鎖形態に前記弁体の制御を切り替えて前記第二凹部と対面するときは、前記他方との当接が解除されて前記バネ体の圧縮を解放して前記第二凹部に入った後前記第一凹部に戻るブロック部材と、を備える、
請求項１に記載の水栓装置。
【請求項３】
互いに対面する前記装置本体及び前記操作部は、それぞれ断面視が略円形状とされ、
前記第一凹部は、前記装置本体の外周面に設けられ、前記第二凹部は、前記外周面に対面する前記操作部の内周面に設けられている、
請求項２に記載の水栓装置。
【請求項４】
前記バネ体と前記ブロック部材とは非接続である、
請求項３に記載の水栓装置。
【請求項５】
前記ブロック部材は、柱状体であり、
前記ブロック部材の先端面は、中央部に向かって盛り上がっている、
請求項２乃至請求項４の何れか１項に記載の水栓装置。
【請求項６】
前記第一吐水口の吐水形態は棒状吐水であり、
前記第二吐水口の吐水形態は散水吐水であり、
前記第二吐水口は、前記第一吐水口よりも上方に固定自在である。
請求項１に記載の水栓装置。
【発明の詳細な説明】
【技術分野】
【０００１】
本発明は、水栓装置に関する。
【背景技術】
【０００２】
従来から、浴室等に設けられる水栓装置であって、回転操作式のハンドルが回転操作されることにより、棒状吐水（カラン吐水）と、止水と、散水吐水（シャワー吐水）と、を順に又はその逆の順に吐水形態を切り替える水栓装置が知られている。
【０００３】
このような水栓装置では、例えば、棒状吐水から止水に吐水形態を切り替える際に、棒状吐水時のハンドルの回転位置（回転角度）から、勢い余って止水時のハンドルの回転位置を越えて意図しない散水吐水に切り替えてしまう誤操作があった。同様に、散水吐水から止水に吐水形態を切り替える際に、散水吐水時のハンドルの回転位置から、勢い余って止水時のハンドルの回転位置を越えて意図しない棒状吐水に切り替えてしまう誤操作があった。
【０００４】
例えば特許文献１には、上記の誤操作を抑制するために、本体側からハンドル側に向けて突き出る板バネを、ハンドルの回転軸線周りに複数個配置し、ハンドルに各板バネの全てにそれぞれ同時に係合可能な係合部を設けた給水栓が開示されている。
【０００５】
また、特許文献２には、吐水形態の切り替えではないものの、意図しない高温吐水を抑制するために、一定以上の温度に調整する際には、安全ボタンを押しながらでないとハンドルの回転操作ができない湯水混合水栓が開示されている。
【先行技術文献】
【特許文献】
【０００６】
【特許文献１】特開平９−１１９５５９号公報
【特許文献２】特開２０１３−６４２６１号公報
【発明の概要】
【発明が解決しようとする課題】
【０００７】
しかしながら、特許文献１に記載の構成では、板バネと係合溝との間の係合力よりも、ハンドルの操作力が大きいと、上記の誤操作が発生し得る。また、一時停止位置を越えて操作を行うためには板バネと係合溝との間の係合力よりも大きなハンドルの操作力が必要となる。
【０００８】
また、特許文献２に記載の構成では、ハンドルの回し過ぎによる誤操作を抑制できるものの、意図して高温吐水する際には、ボタンを押す、という回転に係る操作（回転操作や回転停止操作）以外の操作が毎回必要となり、使用者に煩わしさを感じさせる虞があった。
【０００９】
そこで、本発明は、上述した課題を解決するためになされたものであり、吐水形態の切り替えを行う際に、意図しない過回転による誤操作を抑制すると共に、意図した過回転であっても回転に係る操作以外の操作を不要とすることができる水栓装置を提供することを目的の一つとしている。
【課題を解決するための手段】
【００１０】
本発明の第１態様に係る水栓装置は、水が流入する流入路、第一吐水口、及び第二吐水口が形成された装置本体と、前記装置本体の内部に設けられ、前記流入路と、前記第一吐水口及び前記第二吐水口との連通を制御する弁体と、回転されることによって、前記流入路及び前記第一吐水口を連通させる第一連通形態と、前記流入路が何れの吐水口とも連通しない閉鎖形態と、前記流入路及び前記第二吐水口を連通させる第二連通形態と、に前記弁体の制御を順に切り替える操作部と、前記操作部が前記第一連通形態から前記閉鎖形態に前記弁体の制御を切り替えた際、前記操作部の回転を一時的にロックし、前記回転に係る前記操作部に掛けられる力が除去されることで前記ロックを解除するロック機構と、を備える。
【００１１】
この構成によれば、操作部が第一連通形態から閉鎖形態に弁体の制御を切り替えた際、ロック機構が操作部の回転を一時的にロックするので、勢い余って第一連通形態の回転位置から閉鎖形態の回転位置を越えて意図しない第二連通形態の回転位置となり、第一吐水口の吐水から急に、第二吐水口の吐水に切り替えられることを抑制できる。したがって、この構成によれば、連通形態言い換えれば吐水形態の切り替えを行う際に、意図しない操作部の過回転による誤操作を抑制することができる。
また、ロック機構が、回転に係る操作部に掛けられる力が除去されることでロックを解除するので、解除後には、意図した操作部の過回転（第一連通形態の回転位置から閉鎖形態の回転位置を越えて意図した第二連通形態の回転位置まで回転）も行うことができる。そして、このロックの解除には、回転に係る操作部に掛けられる力の除去でよいので、意図した操作部の過回転であっても回転に係る操作以外の操作を不要とすることができる。
以上より、この構成によれば、吐水形態の切り替えを行う際に、意図しない操作部の過回転による誤操作を抑制すると共に、意図した操作部の過回転であっても回転に係る操作以外の操作を不要とすることができる水栓装置を提供することができる。
【００１２】
本発明の第２態様に係る水栓装置では、第１態様において、前記ロック機構は、互いに対面する前記装置本体の面及び前記操作部の面のうち何れか一方に設けられた第一凹部と、前記装置本体の面及び前記操作部の面のうち他方に設けられ、前記第一凹部と対面するとき前記第一凹部よりも上方に位置する第二凹部と、前記第二凹部に挿入可能な大きさとされ前記第二凹部の深さよりも長いブロック部材であって、前記第一凹部にバネ体を介して挿入されており、前記第二凹部以外の前記他方と対面するときは、前記他方と当接して前記バネ体を圧縮し、且つ、前記操作部が前記第一連通形態から前記閉鎖形態に前記弁体の制御を切り替えて前記第二凹部と対面するときは、前記他方との当接が解除されて前記バネ体の圧縮を解放して前記第二凹部に入った後前記第一凹部に戻るブロック部材と、を備える。
【００１３】
この構成において、ブロック部材は、第二凹部以外の他方と対面するときは、当該他方と当接してバネ体を圧縮している。この状態で、操作部の回転があると、当該回転に伴って弁体が回転し、内部に流れる水等の流体が制御される。ここで、ブロック部材は、操作部の回転に伴ってブロック部材が第二凹部と対面するときは、他方との当接が解除されてバネ体の圧縮を解放する。
このブロック部材は、第二凹部に挿入可能な大きさとされ第二凹部の深さよりも長いので、圧縮が解放された際のバネ体の弾性力により現在の位置から勢いよく第二凹部に向かって押し出されて、第一凹部に入ったまま第二凹部に入る。したがって、勢い余ってそのまま先に操作部が回転されようとしても、すなわちブロック部材が第二凹部と対面するときの操作部の回転位置を越えて操作部が回転されようとしても、ブロック部材が第一凹部及び第二凹部の内壁面に当たり、その回転が規制される。すなわち、操作部の回転が一時的にロックされる。この結果、上記構成によれば、吐水形態の切り替えを行う際に、意図しない操作部の過回転による誤操作を抑制することができる。
また、ブロック部材は、第一凹部よりも上方に位置する第二凹部に押し出されることになるので、第二凹部に押し出された後は自重により第一凹部に戻る。したがって、ブロック部材が第一凹部に戻った後は、上記ロックが解除されて、ブロック部材が第二凹部と対面するときの操作部の回転位置を越えて操作部が回転可能となる。この結果、上記構成によれば、意図した操作部の過回転であっても回転に係る操作以外の操作を不要とすることができる。
【００１４】
本発明の第３態様に係る水栓装置では、第２態様において、互いに対面する前記装置本体及び前記操作部は、それぞれ断面視が略円形状とされ、前記第一凹部は、前記装置本体の外周面に設けられ、前記第二凹部は、前記外周面に対面する前記操作部の内周面に設けられている。
【００１５】
この構成によれば、第一凹部が一般的に操作部よりも厚みのある装置本体の外周面に設けられるため、ブロック部材及びバネ体を挿入するために、第一凹部を深く形成することができる。
【００１６】
本発明の第４態様に係る水栓装置では、第３態様において、前記バネ体と前記ブロック部材とは非接続である。
【００１７】
この構成によれば、バネ体とブロック部材とが非接続なため、ブロック部材を、圧縮が解放された際のバネ体の弾性力により現在の位置からバネ体から離れて第二凹部に向かって飛び出させることができる。この結果、バネ体の復元力につられてブロック部材が直ぐに第一凹部に戻ることを抑制でき、操作部のロックが瞬間的となることを抑制できる。
【００１８】
本発明の第５態様に係る水栓装置は、第２態様乃至第４態様の何れか１つの態様において、前記ブロック部材は、柱状体であり、前記ブロック部材の先端面は、中央部に向かって盛り上がっている。  
【００１９】
この構成によれば、第二凹部以外の他方と対面するとき、ブロック部材の先端面において盛り上がっている中央部が、他方と当接してバネ体をしっかりと圧縮することができる。
【００２０】
本発明の第６態様に係る水栓装置では、第１態様乃至第５態様の何れか１つの態様において、前記第一吐水口の吐水形態は棒状吐水であり、前記第二吐水口の吐水形態は散水吐水であり、前記第二吐水口は、前記第一吐水口よりも上方に固定自在である。
【００２１】
この構成によれば、意図しない操作部の過回転があっても、例えば使用者の手前において第一吐水口から棒状吐水されていた状態から急に使用者の頭上において第二吐水口から散水される状態となって、使用者に不意打ちを与えることを抑制できる。
【００２２】
なお、本発明において特に断りがない場合、冷水のみならず湯や、湯と冷水を混合した混合水を含めて、「水」と呼称する。また、空気を混入した泡沫吐水や、幅広い滝状吐水などを含めて、所謂シャワーのような散水吐水以外の集合した吐水を「棒状吐水」と呼称する。
【発明の効果】
【００２３】
本発明の水栓装置によれば、吐水形態の切り替えを行う際に、意図しない過回転による誤操作を抑制すると共に、意図した過回転であっても回転に係る操作以外の操作を不要とすることができる。
【図面の簡単な説明】
【００２４】
【図１】本発明の実施形態に係る水栓装置の斜視図である。
【図２】図１に示す取付部と水栓本体との取り付け部分の縦切り断面を矢印Ｄ方向から見た図である。
【図３Ａ】図１に示す取付部と水栓本体との取り付け部分の縦切り断面を矢印Ｄ方向から見た図であって、本実施形態に係る水栓装置の作用を説明する図であり、水栓装置の連通形態が閉鎖形態にあるときの取り付け部分の様子を示す図である。
【図３Ｂ】図１に示す取付部と水栓本体との取り付け部分の縦切り断面を矢印Ｄ方向から見た図であって、本実施形態に係る水栓装置の作用を説明する図であり、水栓装置の連通形態が図３Ａに示す閉鎖形態から第一連通形態に切り替わったときの取り付け部分の様子を示す図である。
【図３Ｃ】図１に示す取付部と水栓本体との取り付け部分の縦切り断面を矢印Ｄ方向から見た図であって、本実施形態に係る水栓装置の作用を説明する図であり、水栓装置の連通形態が図３Ｂに示す第一連通形態から閉鎖形態に切り替わったときの取り付け部分の様子を示す図である。
【図３Ｄ】図１に示す取付部と水栓本体との取り付け部分の縦切り断面を矢印Ｄ方向から見た図であって、本実施形態に係る水栓装置の作用を説明する図であり、水栓装置の連通形態が図３Ｃに示す閉鎖形態から第二連通形態に切り替わったときの取り付け部分の様子を示す図である。
【発明を実施するための形態】
【００２５】
以下、添付図面を参照しながら本発明の実施の形態（以下、「本実施形態」と称す。）について説明する。理解を容易にするため、各図面において同一の構成要素に対しては可能な限り同一の符号を付し、重複する説明は省略する。
【００２６】
図１は、本発明の実施形態に係る水栓装置１０の斜視図である。
【００２７】
図１に示す水栓装置１０は、浴室等の壁面に設けられている。水栓装置１０は、装置本体としての水栓本体１２を有し、水栓本体１２の中に、例えば流路切替装置や流量調整装置（共に図示せず）等が設けられている。
【００２８】
＜水栓装置１０の構成＞
このような水栓装置１０は、水栓本体１２にそれぞれ接続された、湯供給脚１４と、水供給脚１６と、第一吐水口としてのカラン１８と、第二吐水口としてのシャワーヘッド２０と、を備えている。
【００２９】
水栓本体１２の背部には、水が流入する流入路として湯供給脚１４と水供給脚１６が接続されている。それぞれ、図示していない給湯源、給水源と接続されており、湯供給脚１４及び水供給脚１６を介して、水栓本体１２に湯と水が流入する。この湯供給脚１４及び水供給脚１６は後述する湯水混合装置２２や弁体２８を通じて、カラン１８及びシャワーヘッド２０に連通可能となっている。
【００３０】
カラン１８は、例えば水栓本体１２の下部に回動可能に接続され、前方に向かって突出している。このカラン１８は、湯供給脚１４及び水供給脚１６から夫々供給された湯や水、或いは湯及び水の混合水、を棒状吐水（カラン吐水）させる。
【００３１】
シャワーヘッド２０は、例えば水栓本体１２の下部にホース２０ａを介して接続されている。このシャワーヘッド２０は、湯供給脚１４及び水供給脚１６から夫々供給された湯や水、或いは湯及び水の混合水、を散水吐水（シャワー吐水）させる。
【００３２】
水栓装置１０はさらに、湯水混合装置２２と、温調ハンドル２４と、操作部としての吐止水切替ハンドル（以下、「流調ハンドル２６」と称す）と、弁体２８と、を備える。
【００３３】
湯水混合装置２２は、水栓本体１２に内蔵され、温調ハンドル２４に接続されている。この湯水混合装置２２は、湯供給脚１４及び水供給脚１６から夫々供給された湯及び水の混合比を調整することで、吐水の温度調整を行う（混合せずに湯又は水のみを流す場合もある。）。また、湯水混合装置２２は、形状記憶合金により付勢される弁体（不図示）を有しており、形状記憶合金が流出する水の温度に応じて伸縮することで弁体が移動し、湯水の混合比を調整する仕組みになっている。
【００３４】
温調ハンドル２４は、例えば水栓本体１２の左端部に回転自在に取り付けられている。この温調ハンドル２４は、これを回転することによって湯水混合装置２２弁体にかかる力を調整し、吐出される混合湯水の温度を変化させることができる。
【００３５】
流調ハンドル２６は、例えば水栓本体１２の右端部に回転自在に取り付けられている。流調ハンドル２６は、水栓本体１２に取り付けられる略円筒状（断面視が略円形状）の取付部２６Ａと、当該取付部２６Ａの側面から径方向外側に延出して操作者により把持或いは接触される板部分の延出板部２６Ｂと、を備えている。
【００３６】
取付部２６Ａは、水栓本体１２の内部に設けられた弁体２８に接続されている。この弁体２８は、回転することで、湯水混合装置２２と、カラン１８及びシャワーヘッド２０との連通量を制御することができる。
【００３７】
流調ハンドル２６は、操作者により延出板部２６Ｂが操作されて回転されることによって、水栓装置１０の連通形態について、湯水混合装置２２及びカラン１８を連通させる第一連通形態と、湯水混合装置２２が何れの吐水口（カラン１８及びシャワーヘッド２０）とも連通しない閉鎖形態と、湯水混合装置２２及びシャワーヘッド２０を連通させる第二連通形態と、に弁体２８の制御を順に切り替える。
【００３８】
すなわち、水栓本体１２に取り付けられた取付部２６Ａを回転操作することによって、弁体２８を制御させ、カラン１８からの棒状吐水と、止水と、シャワーヘッド２０からの散水吐水と、を順に又はその逆の順に吐水形態を切り替えることができる。
【００３９】
言い換えると、止水位置から流調ハンドル２６をカラン１８の側に回転させると、湯水混合装置２２によって適温に混合された湯がカラン１８から吐水されはじめ、回転量に応じてその吐水量は増加する。一方、止水位置から吐止水切替流調ハンドル２６をシャワーの側に回転させると適温に混合された湯がシャワーヘッド２０から吐水されはじめ、徐々にその吐水量が増加することになる。
【００４０】
図２は、図１に示す取付部２６Ａと水栓本体１２との取り付け部分の縦切り断面を矢印Ｄ方向から見た図である。
【００４１】
図２に示すように、流調ハンドル２６の取付部２６Ａは、水栓本体１２から延出した略円筒状（断面視が略円形状）の被取付部３０に回転自在に嵌合する筒体３２を備えている。筒体３２は、延出板部２６Ｂの回転操作により、被取付部３０に対して回転する。なお、被取付部３０の内部には弁体２８を保持するケーシング３４が固定されており、弁体２８は、その回転軸２８Ａが流調ハンドル２６に接続されることによって、ケーシング３４に対して回転自在となっている。
【００４２】
このような取付部２６Ａと被取付部３０との取付部分には、流調ハンドル２６が第一連通形態から閉鎖形態に弁体２８の制御を切り替えた際、言い換えれば、流調ハンドル２６が第一連通形態の回転位置から閉鎖形態の回転位置（止水位置）に回転された際、流調ハンドル２６の回転を一時的にロックし、回転に係る流調ハンドル２６に掛けられる力が除去されることでロックを解除するロック機構４０が設けられている。
【００４３】
ロック機構４０の構成は、上記機能を有していれば特に限定されないが、例えば以下の構成を備える。
【００４４】
ロック機構４０は、第一凹部４２と、第二凹部４４と、ブロック部材４６と、を備える。
【００４５】
第一凹部４２は、互いに対面する水栓本体１２の面及び流調ハンドル２６の面のうち何れか一方に設けられており、第二凹部４４は、第一凹部４２と対面するとき当該第一凹部４２よりも上方に位置する。本実施形態では、例えば、第一凹部４２は、水栓本体１２の被取付部３０の外周面３０Ａに設けられ、第二凹部４４は、被取付部３０の外周面３０Ａに対面する取付部２６Ａの筒体３２の内周面３２Ａに設けられている。
【００４６】
第一凹部４２の開口の大きさ及び第二凹部４４の開口の大きさは、例えば略同じ大きさとなっている。第一凹部４２の開口の中心線及び第二凹部４４の開口の中心線は、それぞれ被取付部３０の中心軸から直交して径方向外側に向かって延びる仮想線Ｏと一致している。
【００４７】
第一凹部４２の底部の形状は例えば略平らであり、一方で、第二凹部４４の底部の形状は例えば後述するブロック部材４６の先端面４６Ａの形状と略同じとなっている。また、第一凹部４２の底部中央部には、バネ体４８が取り付けられている。
【００４８】
バネ体４８は、ブロック部材４６を支持するためのものである。この支持の際、例えば、バネ体４８とブロック部材４６とは非接続となっている。バネ体４８としては、例えばコイルスプリング等が使用される。バネ体４８の中心線は、被取付部３０の中心軸から直交して径方向外側に向かって延びる仮想線Ｏと一致している。
【００４９】
ブロック部材４６は、例えば柱状体であり、その先端面４６Ａは、中央部に向かって盛り上がっている。本実施形態では、ブロック部材４６は、鉛筆形状となっている。ブロック部材４６の材質は、特に限定されるものでなく、硬いものであって、柔らかいものであってもよい。また、ブロック部材４６の材質は、後述するロックの際の使用者の手に伝わる衝撃を和らげるために、弾性体であってもよい。
【００５０】
ブロック部材４６は、第一凹部４２及び第二凹部４４に挿入可能な大きさとされている。また、ブロック部材４６は、第二凹部４４の深さよりも長く、且つ、第一凹部４２の深さよりも短い。
【００５１】
ブロック部材４６は、第一凹部４２にバネ体４８を介して挿入されており、第二凹部４４以外の筒体３２の内周面３２Ａと対面するときは、当該内周面３２Ａと当接してバネ体４８を圧縮し、且つ、流調ハンドル２６が第一連通形態から閉鎖形態に弁体２８の制御を切り替えて第二凹部４４と対面するときは、筒体３２の内周面３２Ａとの当接が解除されてバネ体４８の圧縮を解放して第二凹部４４に入った後第一凹部４２に戻る。
【００５２】
＜水栓装置１０の作用＞
図３Ａ〜図３Ｄは、図１に示す取付部２６Ａと水栓本体１２との取り付け部分の縦切り断面を矢印Ｄ方向から見た図であって、本実施形態に係る水栓装置１０の作用を説明する図である。
具体的には、図３Ａは、水栓装置１０の連通形態が閉鎖形態にあるときの取り付け部分の様子を示す図である。図３Ｂは、水栓装置１０の連通形態が図３Ａに示す閉鎖形態から第一連通形態に切り替わったときの取り付け部分の様子を示す図である。図３Ｃは、水栓装置１０の連通形態が図３Ｂに示す第一連通形態から閉鎖形態に切り替わったときの取り付け部分の様子を示す図である。図３Ｄは、水栓装置１０の連通形態が図３Ｃに示す閉鎖形態から第二連通形態に切り替わったときの取り付け部分の様子を示す図である。
【００５３】
図３Ａに示すように、水栓装置１０の連通形態が閉鎖形態にあるときは、第一凹部４２と第二凹部４４が対面する。したがって、第一凹部４２内に挿入されているブロック部材４６も、第二凹部４４と対面する。このとき、ブロック部材４６の先端面において盛り上がっている中央部は、誤操作による連通形態の切り替えを抑制するために、第一凹部４２から第二凹部４４内に突出している。このように水栓装置１０の連通形態が閉鎖形態にあるときは、湯水混合装置２２が何れの吐水口（カラン１８及びシャワーヘッド２０）とも連通しないので、吐水形態が止水となる。
【００５４】
次に、図３Ｂに示すように、水栓装置１０の連通形態が図３Ａに示す閉鎖形態から第一連通形態に切り替わるとき、言い換えれば、流調ハンドル２６の延出板部２６Ｂが操作されて例えば反時計回りに回転されることにより流調ハンドル２６の取付部２６Ａが閉鎖形態から第一連通形態に弁体２８の制御を切り替える際、第二凹部４４が第一凹部４２に対して離間するように回転移動する。この結果、ブロック部材４６の先端面４６Ａ、特にその中央部が第二凹部４４以外の筒体３２の内周面３２Ａに入り込んでいき、筒体３２の内周面３２Ａと接触して、ブロック部材４６が自重によりバネ体４８を圧縮している状態からさらに奥まで圧縮することで、第一凹部４２内に全てが入り込む。
【００５５】
そして、ブロック部材４６が第一凹部４２内に全て入り込んだ状態のまま、第二凹部４４が第一凹部４２に対して離間するようにさらに回転移動して、第一連通形態の回転位置まで移動する。この結果、水栓装置１０の連通形態が閉鎖形態から第一連通形態に切り替わることで湯水混合装置２２とカラン１８が連通して、当該カラン１８から水等が吐水される。
【００５６】
次に、図３Ｃに示すように、水栓装置１０の連通形態が図３Ｂに示す第一連通形態から閉鎖形態に切り替わるとき、言い換えれば、流調ハンドル２６の延出板部２６Ｂが操作されて例えば時計回りに回転されることにより流調ハンドル２６の取付部２６Ａが第一連通形態から閉鎖形態に弁体２８の制御を切り替える際、第二凹部４４が第一凹部４２に対して近づくように回転移動する。
【００５７】
この結果、ブロック部材４６が第一凹部４２内に全て入り込んだ状態の第一連通形態の回転位置から、閉鎖形態の回転位置まで移動する。当該閉鎖形態の回転位置まで移動すると、ブロック部材４６は第二凹部４４と対面する。そして、この瞬間、ブロック部材４６は、筒体３２の内周面３２Ａとの当接が解除されてバネ体４８の圧縮を解放する。圧縮を解放すると、ブロック部材４６は、バネ体４８の弾性力によりバネ体４８の軸方向に力を受けて現在の位置から勢いよく第二凹部４４に向かって押し出され、バネ体４８から離れて飛び出し、第二凹部４４に入る。このとき、ブロック部材４６は、第二凹部４４の深さよりも長いため、第二凹部４４に入って当該第二凹部４４の底部と当接すると、第一凹部４２に入ったまま第二凹部４４に入った状態となる。
【００５８】
したがって、勢い余ってそのまま先に流調ハンドル２６が回転されようとしても、すなわちブロック部材４６が第二凹部４４と対面するときの流調ハンドル２６の回転位置を越えて流調ハンドル２６が時計方向に回転されようとしても、ブロック部材４６が第一凹部４２及び第二凹部４４の内壁面に当たり、第一凹部４２に対して第二凹部４４が身動きできなくなり、流調ハンドル２６の回転が規制される。
【００５９】
以上より、ロック機構４０が、流調ハンドル２６が第一連通形態から閉鎖形態に弁体２８の制御を切り替えた際、流調ハンドル２６の回転を一時的にロックすることになり、本実施形態によれば、連通形態、言い換えれば吐水形態の切り替えを行う際に、意図しない流調ハンドル２６の過回転による誤操作を抑制することができる。
【００６０】
また、ブロック部材４６が第一凹部４２及び第二凹部４４の内壁面に当たって力が加わっている間は、流調ハンドル２６の回転がロックされるものの、回転に係る流調ハンドル２６に掛けられる力が除去されてブロック部材４６が第一凹部４２及び第二凹部４４の内壁面に力が加わらなくなると、ブロック部材４６は、その自重により、第一凹部４２に戻る。この結果、水栓装置１０の取り付け部分の様子は、図３Ａに示す状態に戻る。したがって、ロックの解除には、回転に係る流調ハンドル２６に掛けられる力の除去でよいので、意図した流調ハンドル２６の過回転であっても回転に係る操作以外の操作を不要とすることができる。
【００６１】
ブロック部材４６が第一凹部４２に戻った後は、ブロック部材４６が第二凹部４４と対面するときの流調ハンドル２６の回転位置を越えて流調ハンドル２６が回転可能となる。
【００６２】
次に、図３Ｄに示すように、水栓装置１０の連通形態が図３Ｃから続く図３Ａに示す閉鎖形態から第二連通形態に切り替わるとき、言い換えれば、流調ハンドル２６の延出板部２６Ｂが操作されて例えば時計回りに回転されることにより流調ハンドル２６の取付部２６Ａが閉鎖形態から第二連通形態に弁体２８の制御を切り替える際、第二凹部４４が第一凹部４２に対して離間するように回転移動する。この結果、ブロック部材４６の先端面４６Ａ、特にその中央部が第二凹部４４以外の筒体３２の内周面３２Ａに入り込んでいき、筒体３２の内周面３２Ａと接触して、ブロック部材４６が自重によりバネ体４８を圧縮している状態からさらに奥まで圧縮することで、第一凹部４２内に全てが入り込む。
【００６３】
そして、ブロック部材４６が第一凹部４２内に全て入り込んだ状態のまま、第二凹部４４が第一凹部４２に対して離間するようにさらに回転移動して、第二連通形態の回転位置まで移動する。この結果、水栓装置１０の連通形態が閉鎖形態から第二連通形態に切り替わることで湯水混合装置２２とシャワーヘッド２０が連通して、当該シャワーヘッド２０から水等が吐水される。
【００６４】
以上より、本実施形態に係る水栓装置１０の構成によれば、連通形態（吐水形態）の切り替えを行う際に、意図しない操作部の過回転による誤操作を抑制すると共に、意図した操作部の過回転であっても回転に係る操作以外の操作を不要とすることができる。
【００６５】
＜変形例＞
以上、本願の開示する技術の実施形態について説明したが、本願の開示する技術は、上記に限定されるものではない。
【００６６】
例えば、バネ体４８とブロック部材４６とは非接続となっている場合を説明したが、接続されていてもよい。ただし、流調ハンドル２６のロックの時間を長くする観点からは、バネ体４８とブロック部材４６とが非接続されている方が好ましい。
【００６７】
また、ブロック部材４６は、柱状体、特に鉛筆形状である場合を説明したが、その形状は特に限定されず、筒状や板状であってもよい。
【００６８】
また、第一吐水口がカラン１８で第二吐水口がシャワーヘッド２０である場合を説明したが、第一吐水口及び第二吐水口の構成は、特に限定されない。例えば第一吐水口と第二吐水口ともにカラン１８であってもよい。同様に、第一吐水口と第二吐水口ともにシャワーヘッド２０であってもよい。また、第二吐水口は、オーバーヘッドシャワーであってもよい。ただし、第一吐水口がカラン１８で第二吐水口がカラン１８よりも上方に固定自在なシャワーヘッド２０である場合、第一連通形態から第二連通形態への誤操作があると、使用者の手前から吐水されていた状態から急に使用者の頭上（シャワーヘッド２０が固定されている状態を想定）から吐水される状態となり、使用者に不意打ちを与えないかねないため、本実施形態の構成を用いることがより好適となる。なお、水栓装置１０には、第一吐水口及び第二吐水口以外の吐水口もさらに備えていてもよい。
【００６９】
また、第一凹部４２が被取付部３０の外周面３０Ａに設けられると共に第二凹部４４が筒体３２の内周面３２Ａに設けられている場合を説明したが、第一凹部４２が筒体３２の内周面３２Ａに設けられると共に第二凹部４４が取付部３０の外周面３０Ａに設けられてもよい。ただし、第一凹部４２が一般的に流調ハンドル２６よりも厚みのある水栓本体１２に設けられる方が、ブロック部材４６及びバネ体４８を挿入するために第一凹部４２を深く形成することができるため、好ましい。
【００７０】
また、本実施形態では、ロック機構４０は、流調ハンドル２６が第一連通形態から閉鎖形態に弁体２８の制御を切り替えた際、流調ハンドル２６の回転を一時的にロックし、回転に係る流調ハンドル２６に掛けられる力が除去されることでロックを解除する場合を説明した。本実施形態の構成では、ロック機構４０は、流調ハンドル２６が第二連通形態から閉鎖形態に弁体２８の制御を切り替えた際にも、流調ハンドル２６の回転を一時的にロックし、回転に係る流調ハンドル２６に掛けられる力が除去されることでロックを解除することができる。ただし、ブロック部材４６の形状等を変更することで、ロック機構４０は、流調ハンドル２６が第一連通形態から閉鎖形態に弁体２８の制御を切り替えた際にのみ、流調ハンドル２６の回転を一時的にロックし、回転に係る流調ハンドル２６に掛けられる力が除去されることでロックを解除するようにしてもよい。
【００７１】
前述した各実施の形態が備える各要素は、技術的に可能な限りにおいて組み合わせることができ、これらを組み合わせたものも本発明の特徴を含む限り本発明の範囲に包含される。
【符号の説明】
【００７２】
１０…水栓装置
１２…水栓本体（装置本体）
１８…カラン（第一吐水口）
２０…シャワーヘッド（第二吐水口）
２２…湯水混合装置（流路）
２６…吐止水切替ハンドル（操作部）
２８…弁体
３０Ａ…外周面
３２Ａ…内周面
４０…ロック機構
４２…第一凹部
４４…第二凹部
４６…ブロック部材
４６Ａ…先端面
４８…バネ体
【図１】
0006350110.tif 000002
【図２】
0006350110.tif 000003
【図３Ａ】
0006350110.tif 000004
【図３Ｂ】
0006350110.tif 000005
【図３Ｃ】
0006350110.tif 000006
【図３Ｄ】
0006350110.tif 000007